(57)【要約】【課題】ユーザの利便性を向上可能なデジタル放送受信装置を提供する。【解決手段】通常のデジタルテレビジョン放送（フルセグメント放送）を受信するとき、ＤＤＢの有無に基づいて、放送波Ｗ１中におけるデータ放送の有無を判定し、ワンセグメント・ローカルサービスを受信するとき、ＰＭＴのストリーム形式識別子「stream_type」に基づいて、放送波Ｗ２中におけるデータ放送の有無を判定する。そして、放送波Ｗ２中にデータ放送が有ると判定したとき、映像とデータ放送の両方を表示装置４６に表示し、放送波Ｗ２中にデータ放送が無いと判定したとき、映像を表示装置４６に全画面表示する。これにより、データ放送を含まないワンセグメント・ローカルサービスを受信したとき、映像を迅速に全画面表示することができる。その結果、ユーザの利便性を向上することが可能となる。【選択図】図４
2010062966.tif 000002
【特許請求の範囲】
【請求項１】
放送波を受信するアンテナと、
選局されたチャンネル周波数の電波を前記放送波から抽出して出力するチューナと、
前記チューナが出力した電波を復調してトランスポート・ストリームを出力する復調部と、
前記トランスポート・ストリームをデコードし、映像及びデータ放送の少なくとも一方を含むビデオ信号を出力するデコーダと、
前記映像及び前記データ放送の表示を制御する表示制御部と
を備えるデジタル放送受信装置であって、
前記表示制御部は、
空カルーセルを用いない放送の識別子を予め記憶しておき、
前記空カルーセルを用いない放送が受信されたとき、前記放送波におけるデータ放送の有無を判定する処理を切り替える
ことを特徴とするデジタル放送受信装置。
【請求項２】
請求項１記載のデジタル放送受信装置において、
前記空カルーセルを用いない放送は、ワンセグメント・ローカルサービスであり、
前記表示制御部は、ネットワーク・インフォメーション・テーブル（ＮＩＴ）内のネットワーク識別子に基づいてワンセグメント・ローカルサービスを検出する
ことを特徴とするデジタル放送受信装置。
【請求項３】
請求項１又は２記載のデジタル放送受信装置において、
前記表示制御部は、
前記空カルーセルを用いない放送が受信されないとき、ダウンロード・データ・ブロック（ＤＤＢ）の有無に基づき、前記放送波におけるデータ放送の有無を判定し、
前記空カルーセルを用いない放送が受信されたとき、プログラム・マップ・テーブル（ＰＭＴ）内のストリーム形式識別子に基づき、前記放送波におけるデータ放送の有無を判定する
ことを特徴とするデジタル放送受信装置。
【請求項４】
請求項１〜３のいずれか１項に記載のデジタル放送受信装置において、
前記表示制御部は、
前記放送波中にデータ放送が有ると判定したとき、前記映像と前記データ放送の両方を表示装置に表示させ、
前記放送波中にデータ放送が無いと判定したとき、前記映像を前記表示装置に全画面表示させる
ことを特徴とするデジタル放送受信装置。
【請求項５】
地上デジタル放送の放送波を受信するアンテナと、
選局されたチャンネル周波数の電波を前記放送波から抽出して出力するチューナと、
前記チューナが出力した電波を復調してトランスポート・ストリームを出力する復調部と、
前記トランスポート・ストリームをデコードし、映像及びデータ放送の少なくとも一方を含むビデオ信号を出力するデコーダと、
前記映像及び前記データ放送の表示を制御する表示制御部と
を備えるデジタル放送受信装置であって、
前記表示制御部は、
空カルーセルを用いない放送の識別子を予め記憶しておき、
前記空カルーセルを用いない放送が受信されないとき、ダウンロード・データ・ブロック（ＤＤＢ）の有無に基づき、前記放送波におけるデータ放送の有無を判定し、
前記空カルーセルを用いない放送が受信されたとき、データ放送を示す識別子の有無に基づき、前記放送波におけるデータ放送の有無を判定し、
前記放送波中にデータ放送が有ると判定したとき、前記映像と前記データ放送の両方を表示装置に表示させ、
前記放送波中にデータ放送が無いと判定したとき、前記映像を前記表示装置に全画面表示させる
ことを特徴とするデジタル放送受信装置。
【発明の詳細な説明】
【技術分野】
【０００１】
この発明は、地上デジタル放送等の放送に用いるデジタル放送受信装置に関する。
【背景技術】
【０００２】
現在、地上デジタル放送への完全移行に向けて準備が進められている。地上デジタル放送では、従来の地上アナログ放送のように映像と音声を配信できることに加え、データ放送を配信することができる。データ放送では、各種データを繰り返し配信する「データカルーセル伝送方式」が用いられる。このデータカルーセル伝送方式では、映像の解像度の切替りの一定時間前等に、データを空カルーセルに切り替える。空カルーセルとは、実データを格納するＤＤＢ（Download Data Block）を含まないデータカルーセルである。空カルーセルには、表示すべきデータが存在しないため、データ放送の表示領域には、何らのデータも表示されない。この際、ユーザに不快感を与えないようにするため、映像を全画面表示する技術が開発されている（特許文献１）。
【０００３】
【特許文献１】特開２００２−０４４５５３号公報
【発明の開示】
【発明が解決しようとする課題】
【０００４】
特許文献１に記載された装置では、データイベント又はＥＳ（Elementally Stream）の切替りに応じた処理がなされるが（特許文献１の図２参照）、ユーザの利便性を考慮すると、未だ改善の余地がある。
【０００５】
この発明はこのような課題を考慮してなされたものであり、ユーザの利便性を向上することが可能なデジタル放送受信装置を提供することを目的とする。
【課題を解決するための手段】
【０００６】
この発明に係るデジタル放送受信装置は、放送波を受信するアンテナと、選局されたチャンネル周波数の電波を前記放送波から抽出して出力するチューナと、前記チューナが出力した電波を復調してトランスポート・ストリームを出力する復調部と、前記トランスポート・ストリームをデコードし、映像及びデータ放送の少なくとも一方を含むビデオ信号を出力するデコーダと、前記映像及び前記データ放送の表示を制御する表示制御部とを備えるものであって、前記表示制御部は、空カルーセルを用いない放送の識別子を予め記憶しておき、前記空カルーセルを用いない放送が受信されたとき、前記放送波におけるデータ放送の有無を判定する処理を切り替えることを特徴とする。
【０００７】
この発明によれば、空カルーセルを用いない放送が受信されたとき、放送波におけるデータ放送の有無を判定する処理を切り替える。これにより、空カルーセルを用いない放送が受信されたとき、空カルーセルが存在しないことを前提として、データ放送の有無を判定することが可能となる。従って、データ放送の有無を判定する処理をより柔軟に設定することが可能となり、データ放送の有無を判定する処理を迅速に行うことが期待できる。その結果、ユーザの利便性を向上することが可能となる。
【０００８】
前記空カルーセルを用いない放送を、ワンセグメント・ローカルサービスとし、前記表示制御部は、ネットワーク・インフォメーション・テーブル（ＮＩＴ）内のネットワーク識別子に基づいてワンセグメント・ローカルサービスを検出してもよい。
【０００９】
前記表示制御部は、前記空カルーセルを用いない放送が受信されないとき、ダウンロード・データ・ブロック（ＤＤＢ）の有無に基づき、前記放送波におけるデータ放送の有無を判定し、前記空カルーセルを用いない放送が受信されたとき、プログラム・マップ・テーブル（ＰＭＴ）内のストリーム形式識別子に基づき、前記放送波におけるデータ放送の有無を判定してもよい。
【００１０】
前記表示制御部は、前記放送波中にデータ放送が有ると判定したとき、前記映像と前記データ放送の両方を表示装置に表示させ、前記放送波中にデータ放送が無いと判定したとき、前記映像を前記表示装置に全画面表示させてもよい。
【００１１】
これにより、放送波中にデータ放送が有ると判定したとき、映像とデータ放送の両方を表示装置に表示し、放送波中にデータ放送が無いと判定したとき、映像を表示装置に全画面表示する。従って、空カルーセルを用いず且つデータ放送を含まない放送を受信したとき、映像を迅速に全画面表示することができる。その結果、ユーザの利便性を向上することが可能となる。
【００１２】
この発明に係るデジタル放送受信装置は、地上デジタル放送の放送波を受信するアンテナと、選局されたチャンネル周波数の電波を前記放送波から抽出して出力するチューナと、前記チューナが出力した電波を復調してトランスポート・ストリームを出力する復調部と、前記トランスポート・ストリームをデコードし、映像及びデータ放送の少なくとも一方を含むビデオ信号を出力するデコーダと、前記映像及び前記データ放送の表示を制御する表示制御部とを備えるものであって、前記表示制御部は、空カルーセルを用いない放送の識別子を予め記憶しておき、前記空カルーセルを用いない放送が受信されないとき、ダウンロード・データ・ブロック（ＤＤＢ）の有無に基づき、前記放送波におけるデータ放送の有無を判定し、前記空カルーセルを用いない放送が受信されたとき、データ放送を示す識別子の有無に基づき、前記放送波におけるデータ放送の有無を判定し、前記放送波中にデータ放送が有ると判定したとき、前記映像と前記データ放送の両方を表示装置に表示させ、前記放送波中にデータ放送が無いと判定したとき、前記映像を前記表示装置に全画面表示させることを特徴とする。
【００１３】
この発明によれば、空カルーセルを用いない放送が受信されないとき、ＤＤＢの有無に基づき、放送波におけるデータ放送の有無を判定し、空カルーセルを用いない放送が受信されたとき、データ放送を示す識別子の有無に基づき、放送波におけるデータ放送の有無を判定する。そして、放送波中にデータ放送が有ると判定したとき、映像とデータ放送の両方を表示装置に表示させ、放送波中にデータ放送が無いと判定したとき、映像を表示装置に全画面表示させる。従って、空カルーセルを用いず且つデータ放送を含まない放送を受信したとき、映像を迅速に全画面表示することができる。その結果、ユーザの利便性を向上することが可能となる。
【発明の効果】
【００１４】
この発明によれば、空カルーセルを用いない放送が受信されたとき、放送波におけるデータ放送の有無を判定する処理を切り替える。これにより、空カルーセルを用いない放送が受信されたとき、空カルーセルが存在しないことを前提として、データ放送の有無を判定することが可能となる。従って、データ放送の有無を判定する処理をより柔軟に設定することが可能となり、データ放送の有無を判定する処理を迅速に行うことが期待できる。その結果、ユーザの利便性を向上することが可能となる。
【発明を実施するための最良の形態】
【００１５】
Ａ．一実施形態
以下、この発明の一実施形態に係るデジタル放送受信装置について図面を参照して説明する。
【００１６】
１．地上デジタル放送受信装置１０の構成
図１は、この発明に係る地上デジタル放送受信装置１０（以下「受信装置１０」とも称する。）の回路図である。本実施形態の受信装置１０は、車載用であり、ＲＦアンテナ１２ａ、１２ｂと、チューナ１４ａ、１４ｂと、復調部１６ａ、１６ｂと、トランスポート・ストリーム・デコーダ１８（以下「ＴＳデコーダ１８」と称する。）と、音声デコーダ２０と、映像デコーダ２２と、出力制御部２４と、音声出力端子２６と、映像出力端子２８と、リモートコントローラ３０と、入出力回路３２（以下「Ｉ／Ｏ回路３２」と称する。）と、フラッシュメモリ等の不揮発性ランダム・アクセス・メモリ３４（以下「ＮＶＲＡＭ３４」と称する。）と、リード・オンリー・メモリ３６（以下「ＲＯＭ３６」と称する。）と、主メモリとしての揮発性メモリ３８（以下「ＲＡＭ３８」と称する。）と、ＣＰＵ４０と、通信インタフェース４２と、システムバス４４とを有する。
【００１７】
ＲＦアンテナ１２ａは、通常のデジタルテレビジョン放送（フルセグメント放送）の放送波Ｗ１の受信用であり、ＲＦアンテナ１２ｂは、ワンセグメント放送の放送波Ｗ２の受信用である。ＲＦアンテナ１２ａ、１２ｂで受信された放送波Ｗ１、Ｗ２は、チューナ１４ａ、１４ｂにおいて、選局されたチャンネル周波数の電波のみが抽出される。チューナ１４ａ、１４ｂにおいて抽出された電波は、復調部１６ａ、１６ｂにおいて、アナログ／デジタル変換、ＯＦＤＭ復調及び誤り訂正が行われる。続くＴＳデコーダ１８において、オーディオ信号Ｓａとビデオ信号Ｓｖに分離される。オーディオ信号Ｓａは、音声デコーダ２０でデコードされた後、出力制御部２４を介して音声出力端子２６から出力される。ビデオ信号Ｓｖは、映像デコーダ２２でデコードされた後、出力制御部２４を介して映像出力端子２８から出力される。出力制御部２４は、後述する方法により、オーディオ信号Ｓａ及びビデオ信号Ｓｖの出力を制御する。音声出力端子２６及び映像出力端子２８には、表示装置４６が接続されており、この表示装置４６では、オーディオ信号Ｓａ及びビデオ信号Ｓｖに基づく出力がなされる。ＣＰＵ４０は、システムバス４４を介して各部を制御する。ＮＶＲＡＭ３４及びＲＯＭ３６には、各部を動作させるためのプログラム及びデータが記憶されている。
【００１８】
なお、図１では、太字の矢印は、非蓄積データの流れを示している。
【００１９】
２．ワンセグメント・ローカルサービスの受信・出力設定
本実施形態では、ワンセグメント放送の１つとして、ワンセグメント・ローカルサービスを受信することができる。また、ワンセグメント・ローカルサービスの受信の要否及び出力方法を設定することができる。すなわち、ワンセグメント・ローカルサービスに関し、ユーザは、（ａ）映像と音声のみを出力する、（ｂ）映像と音声とデータ放送を出力する、（ｃ）データ放送のみを出力する、及び（ｄ）ワンセグメント・ローカルサービスを受信（又は出力）しない、を選択することができる。上記いずれの設定が選択されているかは、ＮＶＲＡＭ３４に記憶されている。本実施形態では、映像と音声とデータ放送の全てを出力することが初期設定とされており、ユーザがリモートコントローラ３０を操作することにより、受信・出力設定を変更することができる。出力制御部２４及びこれに関連する部位は、上記受信・出力設定に基づき、通常のデジタルテレビジョン放送とワンセグメント・ローカルサービスとの切替え及びその後の出力を行うことができる。
【００２０】
但し、受信したワンセグメント・ローカルサービスの放送波Ｗ２に、映像、音声又はデータ放送のいずれかの情報が含まれていない場合、当該放送波Ｗ２に含まれている情報に伴って出力が変更される。また、受信装置１０の現在位置においてワンセグメント・ローカルサービスが提供されていない場合（ワンセグメント・ローカルサービスの放送波Ｗ２が受信できない場合）、通常のデジタルテレビジョン放送の放送波Ｗ１が受信及び出力される。
【００２１】
図２には、受信装置１０を搭載した車両５０（後述する車両５０ａ〜５０ｄの総称）が、ワンセグメント・ローカルサービスの受信可能圏Ｒ１外から受信可能圏Ｒ１内に入っていった際に、表示装置４６の出力が切り替えられる様子を模式的に示す図である。
【００２２】
図２において、車両５０がワンセグメント・ローカルサービスの受信可能圏Ｒ１外にあるとき（このときの車両５０を車両５０ａと称する。）、車両５０ａは、第１放送局５２から通常のデジタルテレビジョン放送の放送波Ｗ１を受信し、車両５０ａの表示装置４６では、放送波Ｗ１に含まれる映像Ｉ１とデータ放送Ｄ１とが表示され、放送波Ｗ１に含まれる音声が出力される。
【００２３】
車両５０がワンセグメント・ローカルサービスの受信可能圏Ｒ１内に入ってくると、車両５０の受信装置１０は、第１放送局５２から通常のデジタルテレビジョン放送の放送波Ｗ１を受信すると共に、第２放送局５４からワンセグメント・ローカルサービスの放送波Ｗ２を受信する。そして、放送波Ｗ２の受信が開始されたことを検知すると、受信装置１０は、上述した受信・出力設定に応じて、映像、音声及びデータ放送を表示装置４６に出力させる。例えば、ワンセグメント・ローカルサービスの受信・出力設定が「映像、音声及びデータ放送を出力」となっている場合（このときの車両５０を車両５０ｂと称する。）、車両５０ｂの表示装置４６では、放送波Ｗ２に含まれる映像Ｉ２とデータ放送Ｄ２とが表示され、放送波Ｗ２に含まれる音声が出力される。ワンセグメント・ローカルサービスの受信・出力設定が「映像及び音声を出力」となっている場合（このときの車両５０を車両５０ｃと称する。）、車両５０ｃの表示装置４６では、放送波Ｗ２に含まれる映像Ｉ２が表示され、放送波Ｗ２に含まれる音声が出力される。ワンセグメント・ローカルサービスの受信・出力設定が「データ放送を出力」となっている場合（このときの車両５０を車両５０ｄと称する。）、車両５０ｃの表示装置４６では、放送波Ｗ２に含まれるデータ放送Ｄ２が表示され、放送波Ｗ２に含まれる映像Ｉ２及び音声は出力されない。
【００２４】
図３には、受信装置１０によるワンセグメント・ローカルサービスの受信・出力設定に基づき出力を決定するフローチャートが示されている。
【００２５】
ステップＳ１において、ＣＰＵ４０は、ワンセグメント・ローカルサービスの出力をユーザが許可しているかどうかを判定する。具体的には、ＮＶＲＡＭ３４に記憶されている受信・出力設定が、ワンセグメント・ローカルサービスを受信する設定になっているかどうかを判定する。ワンセグメント・ローカルサービスの出力が禁止されている場合（Ｓ１：Ｎｏ）、ステップＳ２において、ＣＰＵ４０からの指令の下、チューナ１４ｂは、ワンセグメント・ローカルサービスの放送波Ｗ２の受信を行わない。代わりに、チューナ１４ａにより通常のデジタルテレビジョン放送の放送波Ｗ１の受信が行われ、表示装置４６には、この放送波Ｗ１に含まれる情報が出力される。ワンセグメント・ローカルサービスの出力が許可されている場合（Ｓ１：Ｙｅｓ）、ステップＳ３に進む。
【００２６】
ステップＳ３において、出力制御部２４は、ユーザが、ワンセグメント・ローカルサービスにおいて、データ放送のみの出力を指示しているかどうかを判定する。具体的には、ＮＶＲＡＭ３４に記憶されている受信・出力設定が、データ放送のみを出力する設定になっているかどうかを判定する。データ放送のみを出力する設定になっている場合（Ｓ３：Ｙｅｓ）、ステップＳ４において、出力制御部２４は、データ放送のみを情報として含むビデオ信号Ｓｖを表示装置４６に出力する。データ放送のみを出力する設定になっていない場合（Ｓ３：Ｎｏ）、ステップＳ５に進む。
【００２７】
ステップＳ５において、出力制御部２４は、ユーザが、ワンセグメント・ローカルサービスにおいて、映像及び音声のみの出力を指示しているかどうかを判定する。具体的には、ＮＶＲＡＭ３４に記憶されている受信・出力設定が、映像及び音声のみを出力する設定になっているかどうかを判定する。映像及び音声のみを出力する設定になっている場合（Ｓ５：Ｙｅｓ）、ステップＳ６において、出力制御部２４は、映像情報のみを含むビデオ信号Ｓｖと、オーディオ信号Ｓａとを表示装置４６に出力する。映像及び音声のみを出力する設定になっていない場合（Ｓ５：Ｎｏ）、ステップＳ７において、出力制御部２４は、映像及びデータ放送の両方の情報を含むビデオ信号Ｓｖと、オーディオ信号Ｓａとを表示装置４６に出力する。
【００２８】
３．表示切替処理
（１）概要
本実施形態の受信装置１０では、ユーザが、映像及びデータ放送の表示を求めている場合（そのような設定としている場合）であっても、ワンセグメント・ローカルサービスの放送波Ｗ２に映像の情報のみが含まれており、データ放送の情報が含まれていなければ、当該映像のみを表示装置４６に全画面表示させる。
【００２９】
ここで、通常のデジタルテレビジョン放送（フルセグメント放送）では、データカルーセル伝送方式において空カルーセルを用いることがある。これに対し、ワンセグメント・ローカルサービスでは、同一のコンテンツが繰り返し配信されることが予想される。このため、ワンセグメント・ローカルサービスでは、空カルーセルを用いない運用が取られることが推測される。この推測に基づき、本実施形態の受信装置１０では、放送波Ｗ１、Ｗ２にデータ放送が含まれているかどうかを判定する処理を、通常のデジタルテレビジョン放送を受信している場合と、ワンセグメント・ローカルサービスを受信している場合とで異なる方法により行う。そして、放送波Ｗ１又は放送波Ｗ２にデータ放送が含まれていない場合、映像を全画面表示する処理（表示切替処理）を行う。
【００３０】
（２）全体の流れ
図４には、ユーザが、ワンセグメント・ローカルサービスの受信並びに映像、音声及びデータ放送の出力を求めている場合（そのような受信・出力設定としている場合）において、放送波Ｗ１、Ｗ２に含まれている情報に応じて表示装置４６の表示を切り替えるフローチャートが示されている。
【００３１】
ステップＳ１１において、出力制御部２４は、放送波Ｗ１又は放送波Ｗ２において、新たなトランスポート・ストリーム・パケット（以下「ＴＳパケット」と称する。）を受信したかどうかを判定する。新たなＴＳパケットを受信していない場合（Ｓ１１：Ｎｏ）、ステップＳ１１を繰り返す。新たなＴＳパケットを受信した場合（Ｓ１１：Ｙｅｓ）、ステップＳ１２に進む。
【００３２】
ステップＳ１２において、出力制御部２４は、ＴＳパケット内のＰＳＩ／ＳＩ（Program Specific Information/Service Information）のＮＩＴ（Network Information Table）を取得したかどうかを判定する。ＮＩＴを取得していない場合（Ｓ１２：Ｎｏ）、ステップＳ１２を繰り返す。ＮＩＴを取得した場合（Ｓ１２：Ｙｅｓ）、ステップＳ１３に進む。
【００３３】
ステップＳ１３において、出力制御部２４は、ＮＩＴ内のネットワーク識別子（network_id）が、ワンセグメント・ローカルサービスを示す「0x7E8E」であるかどうかを判定する。「network_id」が「0x7E8E」でない場合（Ｓ１３：Ｎｏ）、ステップＳ１４において、受信装置１０は、通常のデジタルテレビジョン放送用の表示切替処理を行う。「network_id」が「0x7E8E」である場合（Ｓ１３：Ｙｅｓ）、ステップＳ１５において、受信装置１０は、ワンセグメント・ローカルサービス用の表示切替処理を行う。
【００３４】
（３）通常のデジタルテレビジョン放送用の表示切替処理
図５は、通常のデジタルテレビジョン放送用の表示切替処理（図４のＳ１４）の詳細を示すフローチャートである。
【００３５】
ステップＳ２１において、出力制御部２４は、新たなＴＳパケットにおいて、ＰＳＩ／ＳＩのＰＭＴ（Program Map Table）を取得したかどうかを判定する。ＰＭＴを取得していない場合（Ｓ２１：Ｎｏ）、ステップＳ２１を繰り返す。ＰＭＴを取得した場合（Ｓ２１：Ｙｅｓ）、ステップＳ２２に進む。
【００３６】
ステップＳ２２において、出力制御部２４は、所定時間Ｔ１［ｓ］以内に、ＰＭＴ内のＤＳＭ−ＣＣ（Digital Storage Media Command and Control）セクションのテーブル識別子（table_id）の中に、ＤＤＢ（Download Data Block）メッセージを示す「0x3C」があるかどうかを判定する。所定時間Ｔ１以内に「0x3C」があった場合（Ｓ２２：Ｙｅｓ）、実データ（ＤＤＢデータ）が受信されたことを意味する。そこで、ステップＳ２３において、出力制御部２４は、当該実データに対応したデータ放送と、映像及び音声とを出力する。所定時間Ｔ１以内に「0x3C」がない場合（Ｓ２２：Ｎｏ）、放送波Ｗ１にはデータ放送が含まれていないものと判断できる。そこで、ステップＳ２４において、出力制御部２４は、ビデオ信号Ｓｖからデータ放送に対応する箇所を取り除いて、表示装置４６に映像を全画面表示し、映像と音声のみを出力する。
【００３７】
（４）ワンセグメント・ローカルサービス用の表示切替処理
図６は、ワンセグメント・ローカルサービス用の表示切替処理（図４のＳ１５）の詳細を示すフローチャートである。
【００３８】
ステップＳ３１において、出力制御部２４は、新たなＴＳパケットにおいて、ＰＳＩ／ＳＩのＰＭＴを取得したかどうかを判定する。ＰＭＴを取得していない場合（Ｓ３１：Ｎｏ）、ステップＳ３１を繰り返す。ＰＭＴを取得した場合（Ｓ３１：Ｙｅｓ）、ステップＳ３２に進む。
【００３９】
ステップＳ３２において、出力制御部２４は、ＰＭＴ内の１つ又は複数のストリーム形式識別子（stream_type）の中に、映像を示す「0x1B」及び音声を示す「0x52」が含まれているかどうかを判定する。「0x1B」及び「0x52」が含まれている場合（Ｓ３２：Ｙｅｓ）、ステップＳ３３に進む。
【００４０】
ステップＳ３３において、出力制御部２４は、ＰＭＴ内の１つ又は複数の「stream_type」の中に、データ放送を示す「0x0D」が含まれているかどうかを判定する。「0x0D」が含まれている場合（Ｓ３３：Ｙｅｓ）、ワンセグメント・ローカルサービスの放送波Ｗ２には、映像、音声及びデータ放送の情報が含まれている。そこで、ステップＳ３４において、出力制御部２４は、映像、音声及びデータ放送を出力する。一方、「0x0D」が含まれていない場合（Ｓ３３：Ｎｏ）、放送波Ｗ２には、映像及び音声の情報のみが含まれている。そこで、ステップＳ３５において、出力制御部２４は、映像及び音声のみを出力し、表示装置４６に映像を全画面表示する。これにより、映像を迅速に全画面表示することができる。
【００４１】
ステップＳ３２に戻り、ＰＭＴ内の１つ又は複数の「stream_type」の中に、「0x1B」及び「0x52」が含まれていない場合（Ｓ３２：Ｎｏ）、ステップＳ３６において、出力制御部２４は、ＰＭＴ内の１つ又は複数の「stream_type」の中に、データ放送を示す「0x0D」が含まれているかどうかを判定する。「0x0D」が含まれている場合（Ｓ３６：Ｙｅｓ）、ワンセグメント・ローカルサービスの放送波Ｗ２には、データ放送の情報のみが含まれている。そこで、ステップＳ３７において、出力制御部２４は、データ放送のみを出力する。一方、「0x0D」が含まれていない場合（Ｓ３６：Ｎｏ）、ワンセグメント・ローカルサービスの放送波Ｗ２には、映像、音声及びデータ放送のいずれの情報も含まれていない。そこで、ステップＳ３８において、出力制御部２４は、通常のデジタルテレビジョン放送の放送波Ｗ１を出力する。
【００４２】
図７は、図３のフローチャートで設定されたワンセグメント・ローカルサービスの受信・出力設定と、図６のフローチャートで判定されたワンセグメント・ローカルサービスの放送波Ｗ２に含まれる情報とに基づいて表示装置４６に実際に表示される内容の説明図である。
【００４３】
図７に示すように、ワンセグメント・ローカルサービスを受信しないとの設定がなされている場合、放送波Ｗ２に含まれている情報に拘わらず、表示装置４６には、通常のデジタルテレビジョン放送が出力される。また、映像及び音声のみの出力が設定されている場合、ワンセグメント・ローカルサービスの放送波Ｗ２に映像及び音声の情報が含まれていれば、これらが出力され、データ放送の情報が含まれていても出力されない。放送波Ｗ２に映像及び音声の情報が含まれていない場合、通常のデジタルテレビジョン放送が出力される。なお、映像及び音声の情報が含まれておらず、データ放送の情報のみが含まれている場合、当該データ放送の情報が含まれている旨を表示装置４６に表示してもよい。
【００４４】
映像、音声及びデータ放送の全ての出力が設定されている場合、放送波Ｗ２に含まれている情報は全て出力される。
【００４５】
データ放送のみの出力が設定されている場合、ワンセグメント・ローカルサービスの放送波Ｗ２にデータ放送の情報が含まれていれば、これが出力され、映像及び音声の情報が含まれていても出力されない。放送波Ｗ２にデータ放送の情報が含まれていない場合、通常のデジタルテレビジョン放送が出力される。なお、データ放送の情報が含まれておらず、映像及び音声の情報のみが含まれている場合、当該映像及び音声の情報が含まれている旨を表示装置４６に表示してもよい。
【００４６】
４．本実施形態の効果
以上のように、本実施形態では、通常のデジタルテレビジョン放送（空カルーセルを用いる放送）が受信されたときとワンセグメント・ローカルサービス（空カルーセルを用いないと推測される放送）が受信されたときとで、放送波Ｗ１、Ｗ２中におけるデータ放送の有無を判定する処理を切り替える（図４〜図６）。これにより、ワンセグメント・ローカルサービスが受信されたとき、空カルーセルが存在しないことを前提として、データ放送の有無を判定することが可能となる。従って、データ放送の有無を判定する処理をより柔軟に設定することが可能となり、データ放送の有無を判定する処理を迅速に行うことが期待できる。その結果、ユーザの利便性を向上することが可能となる。
【００４７】
本実施形態では、通常のデジタルテレビジョン放送が受信されたとき、データカルーセルの中身を示すＤＳＭ−ＣＣセクションの「table_id」に基づいて、放送波Ｗ１中におけるデータ放送の有無が判定され（図５のＳ２２）、ワンセグメント・ローカルサービスが受信されたとき、ＰＭＴ内のストリーム形式識別子「stream_type」に基づいて、放送波Ｗ２中におけるデータ放送の有無が判定される（図６のＳ３３）。そして、放送波Ｗ２中にデータ放送が有ると判定したとき（Ｓ３３：Ｙｅｓ）、映像とデータ放送の両方を表示装置４６に表示させ、放送波Ｗ２中にデータ放送が無いと判定したとき（Ｓ３３：Ｎｏ）、映像を表示装置４６に全画面表示させる。これにより、データ放送を含まないワンセグメント・ローカルサービスを受信したとき、映像を迅速に全画面表示することができる。その結果、ユーザの利便性を向上することが可能となる。
【００４８】
Ｂ．変形例
なお、この発明は、上記実施形態に限らず、この明細書の記載内容に基づき、種々の構成を採り得ることはもちろんである。例えば、以下の構成を採用することができる。
【００４９】
上記実施形態では、受信装置１０を車両５０に搭載したが、これに限られず、別の対象に搭載してもよい。例えば、受信装置１０を船舶や航空機等の移動体に用いることもできる。
【００５０】
上記実施形態では、受信装置１０を地上デジタル放送の受信用に用いたが、その他の放送に用いてもよい。また、上記実施形態では、空カルーセルを用いない（と推測される）放送として、ワンセグメント・ローカルサービスを挙げたが、その他の放送であってもよい。
【００５１】
上記実施形態では、ワンセグメント・ローカルサービスの受信を判定するために、ＮＩＴ内の「network_id」が、ワンセグメント・ローカルサービスを示す「0x7E8E」であるかどうかを判定したが、これに限られず、「network_id」が、受信可能な通常のデジタルテレビジョン放送のいずれのものでもないことを判定することで、ワンセグメント・ローカルサービスを受信していると判定してもよい。この場合、位置情報と受信可能な通常のデジタルテレビジョン放送の「network_id」とを事前に関連付けて記憶しておき、車両５０に搭載されているナビゲーション装置と連動させて、現在位置において受信可能な通常のデジタルテレビジョン放送を判定することもできる。
【００５２】
上記実施形態では、図６のフローチャート（ワンセグメント・ローカルサービス用の表示切替処理）において、ＴＳパケット毎に（図４のＳ１１）ＰＭＴ内の「stream_type」に「0x1B」（映像）、「0x52」（音声）及び「0x0D」（データ放送）が含まれるかどうかを判定したが（図６のＳ３２、Ｓ３３、Ｓ３６）、これに限られず、「0x0D」（データ放送）の出現確率や表示切替えの頻度に伴うユーザの違和感等を考慮して適宜変更可能である。例えば、複数（所定数）のＴＳパケット毎に判定してもよい。或いは、判定対象となる「stream_type」の数を予め設定しておき、この数と等しい数の「stream_type」毎に判定することもできる。或いは、判定間隔を予め設定しておき、この判定間隔毎に判定してもよい。
【００５３】
上記実施形態では、放送波Ｗ１、Ｗ２に映像、音声及びデータ放送を出力する構成について述べたが、映像及びデータ放送のみを出力する構成であってもよい。
【００５４】
上記実施形態では、音声デコーダ２０及び映像デコーダ２２の下流側に出力制御部２４を配置したが、これに限られない。例えば、ＴＳデコーダ１８又は音声デコーダ２０及び映像デコーダ２２に出力制御部２４の機能を持たせてもよい。
【図面の簡単な説明】
【００５５】
【図１】この発明の一実施形態に係るデジタル放送受信装置のブロック図である。
【図２】前記デジタル放送受信装置を搭載した車両が、ワンセグメント・ローカルサービスの受信可能圏外から受信可能圏内に入っていった際に、表示装置の出力が切り替えられる様子を模式的に示す図である。
【図３】前記デジタル放送受信装置によるワンセグメント・ローカルサービスの受信・出力設定に基づき出力を決定するフローチャートである。
【図４】放送波に含まれている情報に応じて表示装置の表示を切り替えるフローチャートである。
【図５】図４における通常のデジタルテレビジョン放送用の表示切替処理の詳細を示すフローチャートである。
【図６】図４におけるワンセグメント・ローカルサービス用の表示切替処理の詳細を示すフローチャートである。
【図７】図３のフローチャートで設定されたワンセグメント・ローカルサービスの受信・出力設定と、図６のフローチャートで判定されたワンセグメント・ローカルサービスの放送波に含まれる情報とに基づいて表示装置に実際に表示される内容の説明図である。
【符号の説明】
【００５６】
１０…地上デジタル放送受信装置      １２ａ、１２ｂ…ＲＦアンテナ
１４ａ、１４ｂ…チューナ            １６ａ、１６ｂ…復調部
１８…ＴＳデコーダ                  ２０…音声デコーダ
２２…映像デコーダ                  ２４…出力制御部（表示制御部）
３４…ＮＶＲＡＭ                    Ｓａ…オーディオ信号
Ｓｖ…ビデオ信号
Ｗ１…通常のデジタルテレビジョン放送の放送波
Ｗ２…ワンセグメント・ローカルサービスの放送波
【図１】
2010062966.tif 000003
【図２】
2010062966.tif 000004
【図３】
2010062966.tif 000005
【図４】
2010062966.tif 000006
【図５】
2010062966.tif 000007
【図６】
2010062966.tif 000008
【図７】
2010062966.tif 000009